(57)【特許請求の範囲】
【請求項１】
鋼製のフレーム材の一方の側に外壁面材が固定され、もう一方の側には内壁面材を取り付ける内壁下地材が固定された外壁パネルで壁体が構成される建物の、上階からの床衝撃音による外壁放射音を抑制する重量床衝撃音遮音性能を高めた壁構造であって、
前記内壁下地材が、
フレームの上側と下側に横方向に設けられる上桟と下桟と、
該上桟と下桟の中間に少なくとも１つ以上横方向に設けられる中桟と、
フレームの左右両側にそれぞれ縦方向に設けられる縦桟とからなり、
該中桟が横勝ちで配置されて該縦桟が中桟で分割されており、
該内壁下地材に内壁面材がビスで固定されていることを特徴とする重量床衝撃音遮音壁構造。
【請求項２】
上桟及び下桟が横勝ちで設けられ、分割された縦桟が、上桟、中桟及び下桟の間にそれぞれ設けられている請求項１に記載の重量床衝撃音遮音壁構造。
【請求項３】
前記外壁パネルが耐力壁パネルである請求項１乃至２に記載の重量床衝撃音遮音壁構造。
【発明の詳細な説明】
【技術分野】
【０００１】
本発明は、上階からの床衝撃音による壁面放射音を抑制して重量床衝撃音遮音性能を高めるための壁構造に関する。
【背景技術】
【０００２】
建物の床衝撃音に対する床衝撃音遮音性能は、加振面である床だけでなく、床に接続する壁面や柱など建物の各要素が影響し、その伝播方法も空気伝播音・固体伝播音と多岐にわたるため、床衝撃音遮音性能の改善は難しく、外壁面からの空気音の放射の低減に着目して床衝撃音遮音性能の改善をしたものは少なかった。
【先行技術文献】
【特許文献】
【０００３】
【特許文献１】特開２００８−１７５００３号公報
【発明の概要】
【発明が解決しようとする課題】
【０００４】
外壁面からの空気音の放射の低減は、床面と壁面とを絶縁することで改善させることができるが、建物の構造上外壁部分と床部分を絶縁することは難しく、また外壁部分と床部分を絶縁することで、床部分からの空気音の放射が大きくなるといった問題もあった。
【０００５】
重量床衝撃音は、６３Ｈｚ帯域（１／１オクターブバンド）の低周波数域の音が主成分であり、内壁面材が持つ一次モードの周波数と６３Ｈｚ帯域が一致する場合には、内壁面材による放射の影響が顕著に現れる。
【０００６】
本発明者は、建物の床衝撃音の遮音性能の向上を検討する過程で、一般の建物の天井高は２０００〜３０００ｍｍ程度であり、内壁面材の高さも２０００〜３０００ｍｍ程度の単一部材が用いられ、下地材への固定の拘束度も高くないために、内壁面材が単一の板として挙動し、内壁面材の一次モードが８５Ｈｚ以下となり、６３Ｈｚ帯域に影響を及ぼす周波数であることを突き止めた。
【０００７】
本発明は、上記調査・研究の結果得られたもので、上階からの床衝撃音による壁面放射音を抑制して重量床衝撃音遮音性能を高めるための壁構造を提供することを課題とする。
【課題を解決するための手段】
【０００８】
上記の課題は、鋼製のフレーム材の一方の側に外壁面材が固定され、もう一方の側には内壁面材を取り付ける内壁下地材が固定された外壁パネルで壁体が構成される建物の、上階からの床衝撃音による外壁放射音を抑制する重量床衝撃音遮音性能を高めた壁構造であって、前記内壁下地材が、フレームの上側と下側に横方向に設けられる上桟と下桟と、該上桟と下桟の中間に少なくとも１つ以上横方向に設けられる中桟と、フレームの左右両側にそれぞれ縦方向に設けられる縦桟とからなり、該中桟が横勝ちで配置されて該縦桟が中桟で分割されており、該内壁下地材に内壁面材がビスで固定されていることを特徴とする重量床衝撃音遮音壁構造により解決される。
【０００９】
本重量床衝撃音遮音構造では、内壁面材が横桟と縦桟からなる内壁下地材にビスで固定されているので、内壁面材の内壁下地材への固定が強固に固定されており、さらに、横桟が、上桟と下桟と中桟により構成されているので、内壁面材の横方向の固定が、上下だけでなく、縦方向中間部においても固定されるので、内壁面材の一次モードの周波数を高くすることができ、内壁面材の一次モードの周波数を重量床衝撃音に影響を与える６３Ｈｚ帯域から外すことができるので、内壁面材の放射による重量床衝撃音の遮音性能を高めることができる。
【００１０】
また、中桟が縦桟に対して横勝ちで配置されているため、内壁面材を縦方向中間部で横一列に内壁下地材にビスで固定することができ、内壁面材の縦方向中間部で内壁下地材に固定することで、内壁面材の縦方向の実質的長さが短くなり、内壁面材の一次モードの周波数を、一般の建物の天井高である２０００〜３０００ｍｍ程度の内壁面材の一次モードの周波数より高くなるように変えることができる。
【００１１】
ここで、図４に示すように、従来より、内壁面材の縦方向に配置された内壁下地材に沿って、内壁面材を縦方向にビスで固定することは行われていたが、縦方向の内装下地材どうしの間では、横方向に内壁面材は固定されておらず、縦方向中間部での内壁面材横方向の固定度が不足するため、内壁面材の一次モードの周波数は内壁面材の高さにより決定されていた。なお、図４に示すＰは、内壁面材が内壁下地材４にビスで固定されるときに、ビスで固定される位置を示すものである。
【００１２】
また、上記の重量床衝撃音遮音壁構造において、上桟及び下桟が横勝ちで設けられ、分割された縦桟が、上桟、中桟及び下桟の間にそれぞれ設けられているとよい。
【００１３】
中桟だけでなく、上桟及び下桟も横勝ちで配置されているため、内壁面材の内壁下地材への固定が、横桟に対して横一列に行われ、内壁面材が各横桟への固定により、内壁面材の縦方向の実質的長さが短くなり、内壁面材の一次モードの周波数を確実に高くすることができる。
【００１４】
さらに、上記の重量床衝撃音遮音壁構造において、外壁パネルが耐力壁パネルであるとよい。
【００１５】
内壁下地材が固定される外壁パネルが構造上しっかりとした耐力壁パネルであることで、内壁下地材を介して内壁面材の固定がしっかりとなされ、内壁面材の放射による重量床衝撃音の遮音性能を確実に高めることができる。
【発明の効果】
【００１６】
本発明は以上のとおりであるから、上階からの床衝撃音による壁面放射音を抑制する重量床衝撃音遮音性能を高めるための壁構造を提供することができる。
【図面の簡単な説明】
【００１７】
【図１】本発明の実施形態を示す重量床衝撃音遮音構造を適用した住宅の断面図である。
【図２】図（イ）は、外壁パネルの断面側面図、図（ロ）は、図（イ）のＡ−Ａ線断面図であって、外壁パネルの内壁下地材の配置を示す正面図である。
【図３】図（ハ）は、図２（イ）のＢ−Ｂ線断面図であって、外壁パネルのフレームの構成を示す正面図、図（ニ）は、図（ハ）のＣ−Ｃ線断面図、図（ホ）は、図（ハ）のＤ−Ｄ線断面図である。
【図４】従来技術を示すものであって、内壁面材を固定する内壁下地材の構成を示す正面図である。
【発明を実施するための形態】
【００１８】
次に、本発明の実施形態を図面に基づいて説明する。図１に示す重量床衝撃音遮音構造を適用した住宅１において、２は外壁パネル、１０はコンクリート基礎、１１は床材、１２は床下地材、１３は根太、１４は大引、１５は束、１６はベタ基礎、１７は土台、２０は天井材、２１は２階の床材、２２は２階の床下地材としてのＡＬＣ，２３は胴差としてのＨ型鋼である。
【００１９】
図２（イ）に示すように、外壁パネル２は、フレーム材３の一方の面に、断熱材７を介して外壁面材６がビスでフレーム材に固定され、フレーム材３のもう一方の面には内壁下地材４ａ,４ｂ,４ｃ,４ｄ，４ｅが固定されている。フレーム材は、図３（ハ）、（ニ）、（ホ）に示すように、断面視溝型の鋼材からなる縦材３ａ,３ａと横材３ｂ,３ｂを方形に組んで構成されている。
【００２０】
図２（ロ）に示すように、フレーム材３には、木製の内壁下地材４が固定される。内壁下地材４は、フレーム材の上端部に横方向に取り付けられる上桟４ａと、フレーム材の下端部に横方向に取り付けられる下桟４ｃと、フレーム材の上端と下端の略中央の中間部に横方向に取り付けられる中桟４ｂと、上桟４ａと中桟４ｂ、中桟４ｂと下桟４ｃ間にそれぞれ縦方向に分割して、フレーム材３の幅方向の両端部と中央部に取り付けられる縦桟４ｄ，４ｄ、４ｅからなる。それぞれの内壁下地材４はフレーム材３に釘により固定されるが、フレーム材３の横方向中央部に取り付けられる縦桟４ｅ,４ｅは図示しない、フレームの横材３ｂ間に渡されて取り付けられ下地材に釘により固定される。
【００２１】
上桟４ａ、中桟４ｂ、下桟４ｃはそれぞれ縦桟４ｄ‥に対し、上桟４ａ、中桟４ｂ、下桟４ｃと縦桟４ｄとの交差部分で上桟４ａ、中桟４ｂ、下桟４がそれぞれ優先される横勝ちで取り付けられている。
【００２２】
重量床衝撃音遮音構造を適用した住宅１において、外壁パネル２に内壁面材としての石膏ボード５が、内壁下地材４を下地として取り付けられる。図２（ロ）に示すＰは、石膏ボード５が内壁下地材４にビスで固定されるときに、ビスで固定される位置を示すものである。
【００２３】
このように、内壁面材としての石膏ボード５が横桟と縦桟からなる内壁下地材４にビスで固定されているので、内壁面材５の内壁下地材４への固定が強固になされており、さらに、横桟が、上桟４ａと下桟４ｃと中桟４ｂにより構成されているので、内壁面材の横方向の固定が、上下だけでなく、縦方向中間部においても固定されるので、内壁面材の一次モードの周波数を高くすることができ、内壁面材の一次モードの周波数を重量床衝撃音に影響を与える６３Ｈｚ帯域から外すことができるので、内壁面材５の放射による重量床衝撃音の遮音性能を高めることができる。
【００２４】
また、中桟４ｂが縦桟４ｄ，４ｄ，４ｅに対して横勝ちで配置されているため、内壁面材５を縦方向中間部で横一列に内壁下地材４にビスで固定することができ、内壁面材５の縦方向中間部で内壁下地材４に固定することで、実質的高さが短くなり、内壁面材５の一次モードの周波数を、一般の建物の天井高である２０００〜３０００ｍｍ程度の内壁面材の一次モードの周波数より高くなるように変えることができる。
【００２５】
さらに、中桟４ｂだけでなく、上桟４ａ及び下桟４ｃも横勝ちで配置されているため、内壁面材５の内壁下地材４への固定が、横桟４ａ，４ｂ，４ｃに対して横一列に行われ、内壁面材５が各横桟への固定により、内壁面材の縦方向の実質的長さが短くなり、内壁面材５の一次モードの周波数を確実に高くすることができる。
【００２６】
一般の建物の天井高は２０００〜３０００ｍｍ程度であり、内壁面材の高さも２０００〜３０００ｍｍ程度の単一部材が用いられるなかで、下地材への固定の拘束度も高くないために、内壁面材が単一の板として挙動し、内壁面材の一次モードが、重量床衝撃音の主成分である６３Ｈｚ帯域（１／１オクターブバンド）の低周波数域である８５Ｈｚ以下となっていたのを、内壁面材の縦方向の実質的長さを短くすることで、内壁面材の一次モードの周波数を高くすることで重量床衝撃音の主成分である６３Ｈｚ帯域（１／１オクターブバンド）の低周波数域を外すように内壁面材の一次モードの周波数を変えることができるので、内壁面材の放射による重量床衝撃音の遮音性能を確実に高めることができる。
【００２７】
以上に、本発明の実施形態を示したが、本発明はこれに限られるものではなく、発明思想を逸脱しない範囲で各種の変更が可能である。例えば、上記の実施形態では、上桟と下桟の略中央の中間部に中桟を設けた場合について示したが、中桟が設けられる場所に限定はなく、上桟と下桟の中央であってもよいし、上桟と下桟のいずれか一方から例えば、１／６，１／４，１／３など、上桟と下桟からの距離が異なる位置に中桟を設けてもよい。本発明の目的は、内壁面材を上端部と下端部だけでなく、縦方向中間部において横方向の下地材に固定することによって、内壁面材の自由な振動を制限し、内壁面材の実質的長さを短くすることにより、内壁面材の一次モードの周波数を重量床衝撃音の主成分である６３Ｈｚ帯域（１／１オクターブバンド）と異ならせることにあるから、内壁面材の自由な振動を制限し、実質的な高さを短くし、内壁面材の一次モードの周波数を重量床衝撃音の主成分である６３Ｈｚ帯域（１／１オクターブバンド）と異ならせることができる範囲であれば、中桟の固定位置に制限はない。
【００２８】
また、上記実施形態では、上桟と下桟の間に中桟を一つだけ設けた場合について示したが、中桟の数に制限はなく、一つであってもよいし、２つ以上であってもよいのはいうまでもない。
【００２９】
さらに、外壁パネルが耐力壁パネルであると、内壁下地材が固定される外壁パネルが構造上しっかりとした耐力壁パネルであることで、内壁下地材を介して内壁面材の固定がしっかりとなされ、内壁面材の放射による重量床衝撃音の遮音性能を確実に高めることができる。
【符号の説明】
【００３０】
１・・・重量床衝撃音遮音構造を適用した住宅
２・・・外壁パネル
３・・・フレーム材
４・・・内壁下地材
４ａ・・・上桟
４ｂ・・・中桟
４ｃ・・・下桟
４ｄ、４ｅ・・・縦桟
５・・・石膏ボード（内壁面材）
６・・・外壁面材
７・・・断熱材
【図１】
0005506571.tif 000002
【図２】
0005506571.tif 000003
【図３】
0005506571.tif 000004
【図４】
0005506571.tif 000005